【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
映像データを処理する方法であって、
前記映像データの符号化された表現を備えるビットストリームのシグナリングされたプロパティに基づいて、映像復号器が前記ビットストリームを復号することができるかどうかを決定することであって、前記ビットストリームは、映像コーディング仕様に準拠し及び複数のコーディングされた映像シーケンス（ＣＶＳ）を備え、特定の値を有する前記シグナリングされたプロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、前記映像コーディング仕様によって規定されるビットストリーム構文全体のサブセットであることと、
前記決定に基づいて、前記ビットストリームを処理することと、を備える、方法。
【請求項２】
前記シグナリングされたプロパティは、国際標準化機構（ＩＳＯ）基本メディアファイル形式ファイルにおいてシグナリングされる請求項１に記載の方法。
【請求項３】
前記シグナリングされたプロパティは、前記ＩＳＯ基本メディアファイル形式ファイルの高効率映像コーディング（ＨＥＶＣ）映像トラック内のサンプルエントリにおいてシグナリングされる請求項２に記載の方法。
【請求項４】
前記シグナリングされたプロパティは、ハイパーテキスト転送プロトコルを通じてのダイナミックアダプティブストリーミング（ＤＡＳＨ）のメディアプレゼンテーション記述（ＭＰＤ）内の要素又は属性内のパラメータを備える請求項１に記載の方法。
【請求項５】
前記シグナリングされたプロパティは、セッション記述プロトコル（ＳＤＰ）のパラメータを備える請求項１に記載の方法。
【請求項６】
前記ビットストリームを処理することは、前記ビットストリームを復号することを備える請求項１に記載の方法。
【請求項７】
前記シグナリングされたプロパティは、特定の構文要素によって示される請求項１に記載の方法。
【請求項８】
前記ＳＰＳの各々は、複数の一般的プロフィール互換性フラグ構文要素を含み、
各々の複数の一般的プロフィール互換性フラグ構文要素における各々の一般的プロフィール互換性フラグ構文要素は、インデックスと関連付けられ、
対応する一般的プロフィール互換性フラグ構文要素は、同じインデックスと関連付けられ、
前記特定の構文要素が前記特定の値を有するときには、前記ＳＰＳ内の前記対応する一般的プロフィール互換性フラグ構文要素の各々は、同一の値を有する請求項７に記載の方法。
【請求項９】
前記ＳＰＳの各々は、ｇｅｎｅｒａｌ_ｒｅｓｅｒｖｅｄ_ｚｅｒｏ_１６ｂｉｔｓ構文要素を含み、
前記特定の構文要素が前記特定の値を有するときには、前記ＳＰＳの各々における前記ｇｅｎｅｒａｌ_ｒｅｓｅｒｖｅｄ_ｚｅｒｏ_１６ｂｉｔｓ構文要素は、同じ値を有する請求項７に記載の方法。
【請求項１０】
前記シグナリングされたプロパティは、補足的エンハンスメント情報（ＳＥＩ）メッセージにおいて特定の構文要素を備える請求項１に記載の方法。
【請求項１１】
前記映像コーディング仕様は、前記ＳＥＩメッセージが前記ビットストリームの第１のアクセスユニット内に存在することを要求する請求項１０に記載の方法。
【請求項１２】
前記映像コーディング仕様は、前記ＳＥＩメッセージが前記ビットストリームのあらゆるランダムアクセスポイント（ＲＡＰ）アクセスユニットにおいてシグナリングされるのを許容する請求項１０に記載の方法。
【請求項１３】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の第１のＳＥＩメッセージであることを要求する請求項１０に記載の方法。
【請求項１４】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の唯一のＳＥＩメッセージであることを要求する請求項１０に記載の方法。
【請求項１５】
アクセスユニット内のネットワーク抽象化層（ＮＡＬ）ユニットは、前記ＳＥＩメッセージをカプセル化し、
前記映像コーディング仕様は、前記ＮＡＬユニットが前記アクセスユニット内の第１のＳＥＩ  ＮＡＬユニットであることを要求し、エレメンタリストリームレベルＮＡＬユニットは除く請求項１０に記載の方法。
【請求項１６】
前記ＳＥＩメッセージは、次の複数のフラグ、すなわち、
ｇｅｎｅｒａｌ_ｔｉｅｒ_ｆｌａｇ構文要素及びｇｅｎｅｒａｌ_ｌｅｖｅｌ_ｉｄｃ構文要素の値が、前記ビットストリームが復号されるときにアクティベートされるすべての前記ＳＰＳに関して同一であるかどうかを示すｂｉｔｓｔｒｅａｍ_ｔｉｅｒ_ｌｅｖｅｌ_ｕｎｃｈａｎｇｉｎｇ_ｆｌａｇ構文要素であって、前記ｇｅｎｅｒａｌ_ｔｉｅｒ_ｆｌａｇ構文要素は、前記ｇｅｎｅｒａｌ_ｌｅｖｅｌ_ｉｄｃ構文要素の解釈のためのタイアコンテキストを示し、前記ｇｅｎｅｒａｌ_ｌｅｖｅｌ_ｉｄｃ構文要素は、前記ＣＶＳが準拠するレベルを示すｂｉｔｓｔｒｅａｍ_ｔｉｅｒ_ｌｅｖｅｌ_ｕｎｃｈａｎｇｉｎｇ_ｆｌａｇ構文要素、
前記ビットストリームのすべてのＣＶＳが同じ空間解像度を有するかどうかを示すｂｉｔｓｔｒｅａｍ_ｓｐａｔｉａｌ_ｒｅｓｏｌｕｔｉｏｎ_ｕｎｃｈａｎｇｉｎｇ_ｆｌａｇ構文要素、
前記ビットストリームの時間的副層の数が前記ビットストリーム内のすべてのＣＶＳに関して同一であるかどうかを示す構文要素、
最大ビットレートが前記ビットストリーム内のすべての前記ＣＶＳに関して同一であるかどうかを示す構文要素、
最大ピクチャレートが前記ビットストリーム内のすべての前記ＣＶＳに関して同一であるかどうかを示す構文要素、
前記ビットストリーム内のすべての前記ＣＶＳが同じカラーフォーマットを有するかどうかを示す構文要素、
前記ビットストリーム内のすべての前記ＣＶＳが同じサンプルアスペクト比を有するかどうかを示す構文要素、
前記ビットストリーム内のすべての前記ＣＶＳがルマ及びクロマに関するビット深度の同じ組を有するかどうかを示す構文要素、
前記ビットストリームにおけるパラメータセットの存在が完全なランダムアクセス性を可能にするかどうかを示す構文要素、
前記ビットストリーム内の第１のアクセスユニット内にすべてのパラメータセットが存在するかどうかを示す構文要素、
前記ビットストリームにおいて少なくとも１つのＶＰＳが更新されるかどうか、前記ビットストリームにおいて少なくとも１つのＳＰＳが更新されるかどうか、又は前記ビットストリームにおいて少なくとも１つのＰＰＳが更新されるかどうかを示す構文要素、
前記ビットストリームが復号されるときにアクティベートされるすべてのＳＰＳが前記ビットストリーム内の前記第１のアクセスユニット内に存在するかどうかを示す構文要素、
少なくとも１つのＳＰＳが更新されるが同じＳＰＳ識別子を使用するかどうかを示す構文要素、
前記ビットストリームの初めにすべてのＰＰＳが存在するかどうかを示す構文要素、
前記ビットストリームにおいて少なくとも１つのＰＰＳが変えられるが同じＰＰＳ識別子が使用されるかどうかを示す構文要素、
前記ビットストリーム内のすべてのＣＶＳにフレームピクチャでコーディングされたプログレッシブフレームのみが入っているかどうかを示す構文要素、
前記ビットストリーム内のすべてのＣＶＳにフレームパッキングアレンジメントＳＥＩメッセージが入っていないかどうかを示す構文要素、
前記ビットストリーム内のすべてのＣＶＳが同じタイルコンフィギュレーションを有するかどうかを示す構文要素、
前記ビットストリーム内のすべてのＣＶＳがウェーブフロント並列処理を利用するかどうかを示す構文要素、
前記ビットストリーム内のすべてのＣＶＳが従属的スライスを利用するかどうかを示す構文要素、及び
前記ＳＥＩメッセージにおいて任意の追加のデータが後続するかどうかを示す構文要素、のうちの１つ以上を備える請求項１０に記載の方法。
【請求項１７】
映像データを処理する方法であって、
ビットストリームのプロパティをシグナリングすることを備え、前記ビットストリームは、映像コーディング仕様に準拠し及び複数のコーディングされた映像シーケンス（ＣＶＳ）を備え、特定の値を有する前記プロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、前記映像コーディング仕様によって規定されるビットストリーム構文全体のサブセットである、方法。
【請求項１８】
前記プロパティは、特定の構文要素によって示される請求項１７に記載の方法。
【請求項１９】
前記ＳＰＳの各々は、複数の一般的プロフィール互換性フラグ構文要素を含み、
各々の複数の一般的プロフィール互換性フラグ構文要素における各々の一般的プロフィール互換性フラグ構文要素は、インデックスと関連付けられ、
対応する一般的プロフィール互換性フラグ構文要素は、同じインデックスと関連付けられ、
前記特定の構文要素が前記特定の値を有するときには、前記ＳＰＳ内の前記対応する一般的プロフィール互換性フラグ構文要素の各々は、同一の値を有する請求項１８に記載の方法。
【請求項２０】
前記ＳＰＳの各々は、ｇｅｎｅｒａｌ_ｒｅｓｅｒｖｅｄ_ｚｅｒｏ_１６ｂｉｔｓ構文要素を含み、前記特定の構文要素が前記特定の値を有するときには、前記ＳＰＳの各々における前記ｇｅｎｅｒａｌ_ｒｅｓｅｒｖｅｄ_ｚｅｒｏ_１６ｂｉｔｓ構文要素は、同じ値を有する請求項１８に記載の方法。
【請求項２１】
前記プロパティをシグナリングすることは、補足的エンハンスメント情報（ＳＥＩ）メッセージにおいて特定の構文要素をシグナリングすることを備える請求項１７に記載の方法。
【請求項２２】
前記映像コーディング仕様は、前記ＳＥＩメッセージが前記ビットストリームの第１のアクセスユニット内に存在することを要求する請求項２１に記載の方法。
【請求項２３】
前記映像コーディング仕様は、前記ＳＥＩメッセージが前記ビットストリームのあらゆるランダムアクセスポイント（ＲＡＰ）アクセスユニットにおいてシグナリングされるのを許容する請求項２１に記載の方法。
【請求項２４】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の第１のＳＥＩメッセージであることを要求する請求項２１に記載の方法。
【請求項２５】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の唯一のＳＥＩメッセージであることを要求する請求項２１に記載の方法。
【請求項２６】
アクセスユニット内のネットワーク抽象化層（ＮＡＬ）ユニットは、前記ＳＥＩメッセージをカプセル化し、
前記映像コーディング仕様は、前記ＮＡＬユニットが前記アクセスユニット内の第１のＳＥＩ  ＮＡＬユニットであることを要求し、エレメンタリストリームレベルＮＡＬユニットは除く請求項２１に記載の方法。
【請求項２７】
前記ＳＥＩメッセージは、次の複数のフラグ、すなわち、
ｇｅｎｅｒａｌ_ｔｉｅｒ_ｆｌａｇ構文要素及びｇｅｎｅｒａｌ_ｌｅｖｅｌ_ｉｄｃ構文要素の値が、前記ビットストリームが復号されるときにアクティベートされるすべての前記ＳＰＳに関して同一であるかどうかを示すｂｉｔｓｔｒｅａｍ_ｔｉｅｒ_ｌｅｖｅｌ_ｕｎｃｈａｎｇｉｎｇ_ｆｌａｇ構文要素であって、前記ｇｅｎｅｒａｌ_ｔｉｅｒ_ｆｌａｇ構文要素は、前記ｇｅｎｅｒａｌ_ｌｅｖｅｌ_ｉｄｃ構文要素の解釈のためのタイアコンテキストを示し、前記ｇｅｎｅｒａｌ_ｌｅｖｅｌ_ｉｄｃ構文要素は、前記ＣＶＳが準拠するレベルを示すｂｉｔｓｔｒｅａｍ_ｔｉｅｒ_ｌｅｖｅｌ_ｕｎｃｈａｎｇｉｎｇ_ｆｌａｇ構文要素、
前記ビットストリームのすべてのＣＶＳが同じ空間解像度を有するかどうかを示すｂｉｔｓｔｒｅａｍ_ｓｐａｔｉａｌ_ｒｅｓｏｌｕｔｉｏｎ_ｕｎｃｈａｎｇｉｎｇ_ｆｌａｇ構文要素、
前記ビットストリームの時間的副層の数が前記ビットストリーム内のすべてのＣＶＳに関して同一であるかどうかを示す構文要素、
最大ビットレートが前記ビットストリーム内のすべての前記ＣＶＳに関して同一であるかどうかを示す構文要素、
最大ピクチャレートが前記ビットストリーム内のすべての前記ＣＶＳに関して同一であるかどうかを示す構文要素、
前記ビットストリーム内のすべての前記ＣＶＳが同じカラーフォーマットを有するかどうかを示す構文要素、
前記ビットストリーム内のすべての前記ＣＶＳが同じサンプルアスペクト比を有するかどうかを示す構文要素、
前記ビットストリーム内のすべての前記ＣＶＳがルマ及びクロマに関して同じ組のビット深度を有するかどうかを示す構文要素、
前記ビットストリームにおけるパラメータセットの存在が完全なランダムアクセス性を可能にするかどうかを示す構文要素、
前記ビットストリーム内の第１のアクセスユニット内にすべてのパラメータセットが存在するかどうかを示す構文要素、
前記ビットストリームにおいて少なくとも１つのＶＰＳが更新されるかどうか、前記ビットストリームにおいて少なくとも１つのＳＰＳが更新されるかどうか、又は前記ビットストリームにおいて少なくとも１つのＰＰＳが更新されるかどうかを示す構文要素、
前記ビットストリームが復号されるときにアクティベートされるすべてのＳＰＳが前記ビットストリーム内の前記第１のアクセスユニット内に存在するかどうかを示す構文要素、
少なくとも１つのＳＰＳが更新されるが同じＳＰＳ識別子を使用するかどうかを示す構文要素、
前記ビットストリームの初めにすべてのＰＰＳが存在するかどうかを示す構文要素、
前記ビットストリームにおいて少なくとも１つのＰＰＳが変えられるが同じＰＰＳ識別子が使用されるかどうかを示す構文要素、
前記ビットストリーム内のすべてのＣＶＳにフレームピクチャでコーディングされたプログレッシブフレームのみが入っているかどうかを示す構文要素、
前記ビットストリーム内のすべてのＣＶＳにフレームパッキングアレンジメントＳＥＩメッセージが入っていないかどうかを示す構文要素、
前記ビットストリーム内のすべてのＣＶＳが同じタイルコンフィギュレーションを有するかどうかを示す構文要素、
前記ビットストリーム内のすべてのＣＶＳがウェーブフロント並列処理を利用するかどうかを示す構文要素、
前記ビットストリーム内のすべてのＣＶＳが従属的スライスを利用するかどうかを示す構文要素、及び
前記ＳＥＩメッセージにおいて任意の追加のデータが後続するかどうかを示す構文要素、のうちの１つ以上を備える請求項２１に記載の方法。
【請求項２８】
映像処理デバイスであって、
映像データの符号化された表現を備えるビットストリームの少なくとも一部を記憶するように構成された１つ以上のデータ記憶媒体と、
前記ビットストリームのシグナリングされたプロパティに基づいて、映像復号器がビットストリームを復号することができるかどうかを決定し、及び
前記決定に基づいて、前記ビットストリームを処理するように構成された１つ以上のプロセッサと、を備え、
特定の値を有する前記シグナリングされたプロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、映像コーディング仕様によって規定されるビットストリーム構文全体のサブセットである、映像処理デバイス。
【請求項２９】
前記シグナリングされたプロパティは、特定の構文要素によって示される請求項２８に記載の映像処理デバイス。
【請求項３０】
前記ＳＰＳの各々は、複数の一般的プロフィール互換性フラグ構文要素を含み、
各々の複数の一般的プロフィール互換性フラグ構文要素における各々の一般的プロフィール互換性フラグ構文要素は、インデックスと関連付けられ、
対応する一般的プロフィール互換性フラグ構文要素は、同じインデックスと関連付けられ、
前記特定の構文要素が前記特定の値を有するときには、前記ＳＰＳ内の前記対応する一般的プロフィール互換性フラグ構文要素の各々は、同一の値を有する請求項２９に記載の映像処理デバイス。
【請求項３１】
前記ＳＰＳの各々は、ｇｅｎｅｒａｌ_ｒｅｓｅｒｖｅｄ_ｚｅｒｏ_１６ｂｉｔｓ構文要素を含み、
前記特定の構文要素が前記特定の値を有するときには、前記ＳＰＳの各々における前記ｇｅｎｅｒａｌ_ｒｅｓｅｒｖｅｄ_ｚｅｒｏ_１６ｂｉｔｓ構文要素は、同じ値を有する請求項２９に記載の映像処理デバイス。
【請求項３２】
前記シグナリングされたプロパティは、補足的エンハンスメント情報（ＳＥＩ）メッセージにおいて特定の構文要素を備える請求項２８に記載の映像処理デバイス。
【請求項３３】
前記映像コーディング仕様は、前記ＳＥＩメッセージが前記ビットストリームの第１のアクセスユニット内に存在することを要求する請求項３２に記載の映像処理デバイス。
【請求項３４】
前記映像コーディング仕様は、前記ＳＥＩメッセージが前記ビットストリームのあらゆるランダムアクセスポイント（ＲＡＰ）アクセスユニットにおいてシグナリングされるのを許容する請求項３２に記載の映像処理デバイス。
【請求項３５】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の第１のＳＥＩメッセージであることを要求する請求項３２に記載の映像処理デバイス。
【請求項３６】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の唯一のＳＥＩメッセージであることを要求する請求項３２に記載の映像処理デバイス。
【請求項３７】
アクセスユニット内のネットワーク抽象化層（ＮＡＬ）ユニットは、前記ＳＥＩメッセージをカプセル化し、
前記映像コーディング仕様は、前記ＮＡＬユニットが前記アクセスユニット内の第１のＳＥＩ  ＮＡＬユニットであることを要求し、エレメンタリストリームレベルＮＡＬユニットは除く請求項３２に記載の映像処理デバイス。
【請求項３８】
前記ＳＥＩメッセージは、次の複数のフラグ、すなわち、
ｇｅｎｅｒａｌ_ｔｉｅｒ_ｆｌａｇ構文要素及びｇｅｎｅｒａｌ_ｌｅｖｅｌ_ｉｄｃ構文要素の値が、前記ビットストリームが復号されるときにアクティベートされるすべての前記ＳＰＳに関して同一であるかどうかを示すｂｉｔｓｔｒｅａｍ_ｔｉｅｒ_ｌｅｖｅｌ_ｕｎｃｈａｎｇｉｎｇ_ｆｌａｇ構文要素であって、前記ｇｅｎｅｒａｌ_ｔｉｅｒ_ｆｌａｇ構文要素は、前記ｇｅｎｅｒａｌ_ｌｅｖｅｌ_ｉｄｃ構文要素の解釈のためのタイアコンテキストを示し、前記ｇｅｎｅｒａｌ_ｌｅｖｅｌ_ｉｄｃ構文要素は、前記ＣＶＳが準拠するレベルを示すｂｉｔｓｔｒｅａｍ_ｔｉｅｒ_ｌｅｖｅｌ_ｕｎｃｈａｎｇｉｎｇ_ｆｌａｇ構文要素、
前記ビットストリームのすべてのＣＶＳが同じ空間解像度を有するかどうかを示すｂｉｔｓｔｒｅａｍ_ｓｐａｔｉａｌ_ｒｅｓｏｌｕｔｉｏｎ_ｕｎｃｈａｎｇｉｎｇ_ｆｌａｇ構文要素、
前記ビットストリームの時間的副層の数が前記ビットストリーム内のすべてのＣＶＳに関して同一であるかどうかを示す構文要素、
最大ビットレートが前記ビットストリーム内のすべての前記ＣＶＳに関して同一であるかどうかを示す構文要素、
最大ピクチャレートが前記ビットストリーム内のすべての前記ＣＶＳに関して同一であるかどうかを示す構文要素、
前記ビットストリーム内のすべての前記ＣＶＳが同じカラーフォーマットを有するかどうかを示す構文要素、
前記ビットストリーム内のすべての前記ＣＶＳが同じサンプルアスペクト比を有するかどうかを示す構文要素、
前記ビットストリーム内のすべての前記ＣＶＳがルマ及びクロマに関して同じ組のビット深度を有するかどうかを示す構文要素、
前記ビットストリームにおけるパラメータセットの存在が完全なランダムアクセス性を可能にするかどうかを示す構文要素、
前記ビットストリーム内の第１のアクセスユニット内にすべてのパラメータセットが存在するかどうかを示す構文要素、
前記ビットストリームにおいて少なくとも１つのＶＰＳが更新されるかどうか、前記ビットストリームにおいて少なくとも１つのＳＰＳが更新されるかどうか、又は前記ビットストリームにおいて少なくとも１つのＰＰＳが更新されるかどうかを示す構文要素、
前記ビットストリームが復号されるときにアクティベートされるすべてのＳＰＳが前記ビットストリーム内の前記第１のアクセスユニット内に存在するかどうかを示す構文要素、
少なくとも１つのＳＰＳが更新されるが同じＳＰＳ識別子を使用するかどうかを示す構文要素、
前記ビットストリームの初めにすべてのＰＰＳが存在するかどうかを示す構文要素、
前記ビットストリームにおいて少なくとも１つのＰＰＳが変えられるが同じＰＰＳ識別子が使用されるかどうかを示す構文要素、
前記ビットストリーム内のすべてのＣＶＳにフレームピクチャでコーディングされたプログレッシブフレームのみが入っているかどうかを示す構文要素、
前記ビットストリーム内のすべてのＣＶＳにフレームパッキングアレンジメントＳＥＩメッセージが入っていないかどうかを示す構文要素、
前記ビットストリーム内のすべてのＣＶＳが同じタイルコンフィギュレーションを有するかどうかを示す構文要素、
前記ビットストリーム内のすべてのＣＶＳがウェーブフロント並列処理を利用するかどうかを示す構文要素、
前記ビットストリーム内のすべてのＣＶＳが従属的スライスを利用するかどうかを示す構文要素、及び
前記ＳＥＩメッセージにおいて任意の追加のデータが後続するかどうかを示す構文要素、のうちの１つ以上を備える請求項３２に記載の映像処理デバイス。
【請求項３９】
映像処理デバイスであって、
映像データを記憶するように構成された１つまたは複数のデータ記憶媒体と、
前記映像データの符号化された表現を備えるビットストリームのプロパティをシグナリングするように構成された１つ以上のプロセッサと、を備え、前記ビットストリームは、映像コーディング仕様に準拠し及び複数のコーディングされた映像シーケンス（ＣＶＳ）を備え、
特定の値を有する前記シグナリングされたプロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、前記映像コーディング仕様によって規定されるビットストリーム構文全体のサブセットである、映像処理デバイス。
【請求項４０】
前記プロパティは、特定の構文要素によって示される請求項３９に記載の映像処理デバイス。
【請求項４１】
前記ＳＰＳの各々は、複数の一般的プロフィール互換性フラグ構文要素を含み、
各々の複数の一般的プロフィール互換性フラグ構文要素における各々の一般的プロフィール互換性フラグ構文要素は、インデックスと関連付けられ、
対応する一般的プロフィール互換性フラグ構文要素は、同じインデックスと関連付けられ、
前記特定の構文要素が前記特定の値を有するときには、前記ＳＰＳ内の前記対応する一般的プロフィール互換性フラグ構文要素の各々は、同一の値を有する請求項４０に記載の映像処理デバイス。
【請求項４２】
前記ＳＰＳの各々は、ｇｅｎｅｒａｌ_ｒｅｓｅｒｖｅｄ_ｚｅｒｏ_１６ｂｉｔｓ構文要素を含み、前記特定の構文要素が前記特定の値を有するときには、前記ＳＰＳの各々における前記ｇｅｎｅｒａｌ_ｒｅｓｅｒｖｅｄ_ｚｅｒｏ_１６ｂｉｔｓ構文要素は、同じ値を有する請求項４０に記載の映像処理デバイス。
【請求項４３】
前記１つ以上のプロセッサは、補足的エンハンスメント情報（ＳＥＩ）メッセージにおいて特定の構文要素をシグナリングするように構成される請求項３９に記載の映像処理デバイス。
【請求項４４】
前記映像コーディング仕様は、前記ＳＥＩメッセージが前記ビットストリームの第１のアクセスユニット内に存在することを要求する請求項４３に記載の映像処理デバイス。
【請求項４５】
前記映像コーディング仕様は、前記ＳＥＩメッセージが前記ビットストリームのあらゆるランダムアクセスポイント（ＲＡＰ）アクセスユニットにおいてシグナリングされるのを許容する請求項４３に記載の映像処理デバイス。
【請求項４６】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の第１のＳＥＩメッセージであることを要求する請求項４３に記載の映像処理デバイス。
【請求項４７】
ネットワーク抽象化層（ＮＡＬ）ユニットは、前記ＳＥＩメッセージをカプセル化し、
前記映像コーディング仕様は、前記ＳＥＩメッセージが前記ＮＡＬユニット内の唯一のＳＥＩメッセージであることを要求する請求項４３に記載の映像処理デバイス。
【請求項４８】
アクセスユニット内のネットワーク抽象化層（ＮＡＬ）ユニットは、前記ＳＥＩメッセージをカプセル化し、
前記映像コーディング仕様は、前記ＮＡＬユニットが前記アクセスユニット内の第１のＳＥＩ  ＮＡＬユニットであることを要求し、エレメンタリストリームレベルＮＡＬユニットは除く請求項４３に記載の映像処理デバイス。
【請求項４９】
前記ＳＥＩメッセージは、次の複数のフラグ、すなわち、
ｇｅｎｅｒａｌ_ｔｉｅｒ_ｆｌａｇ構文要素及びｇｅｎｅｒａｌ_ｌｅｖｅｌ_ｉｄｃ構文要素の値が、前記ビットストリームが復号されるときにアクティベートされるすべての前記ＳＰＳに関して同一であるかどうかを示すｂｉｔｓｔｒｅａｍ_ｔｉｅｒ_ｌｅｖｅｌ_ｕｎｃｈａｎｇｉｎｇ_ｆｌａｇ構文要素であって、前記ｇｅｎｅｒａｌ_ｔｉｅｒ_ｆｌａｇ構文要素は、前記ｇｅｎｅｒａｌ_ｌｅｖｅｌ_ｉｄｃ構文要素の解釈のためのタイアコンテキストを示し、前記ｇｅｎｅｒａｌ_ｌｅｖｅｌ_ｉｄｃ構文要素は、前記ＣＶＳが準拠するレベルを示すｂｉｔｓｔｒｅａｍ_ｔｉｅｒ_ｌｅｖｅｌ_ｕｎｃｈａｎｇｉｎｇ_ｆｌａｇ構文要素、
前記ビットストリームのすべてのＣＶＳが同じ空間解像度を有するかどうかを示すｂｉｔｓｔｒｅａｍ_ｓｐａｔｉａｌ_ｒｅｓｏｌｕｔｉｏｎ_ｕｎｃｈａｎｇｉｎｇ_ｆｌａｇ構文要素、
前記ビットストリームの時間的副層の数が前記ビットストリーム内のすべてのＣＶＳに関して同一であるかどうかを示す構文要素、
最大ビットレートが前記ビットストリーム内のすべての前記ＣＶＳに関して同一であるかどうかを示す構文要素、
最大ピクチャレートが前記ビットストリーム内のすべての前記ＣＶＳに関して同一であるかどうかを示す構文要素、
前記ビットストリーム内のすべての前記ＣＶＳが同じカラーフォーマットを有するかどうかを示す構文要素、
前記ビットストリーム内のすべての前記ＣＶＳが同じサンプルアスペクト比を有するかどうかを示す構文要素、
前記ビットストリーム内のすべての前記ＣＶＳがルマ及びクロマに関して同じ組のビット深度を有するかどうかを示す構文要素、
前記ビットストリームにおけるパラメータセットの存在が完全なランダムアクセス性を可能にするかどうかを示す構文要素、
前記ビットストリーム内の第１のアクセスユニット内にすべてのパラメータセットが存在するかどうかを示す構文要素、
前記ビットストリームにおいて少なくとも１つのＶＰＳが更新されるかどうか、前記ビットストリームにおいて少なくとも１つのＳＰＳが更新されるかどうか、又は前記ビットストリームにおいて少なくとも１つのＰＰＳが更新されるかどうかを示す構文要素、
前記ビットストリームが復号されるときにアクティベートされるすべてのＳＰＳが前記ビットストリーム内の前記第１のアクセスユニット内に存在するかどうかを示す構文要素、
少なくとも１つのＳＰＳが更新されるが同じＳＰＳ識別子を使用するかどうかを示す構文要素、
前記ビットストリームの初めにすべてのＰＰＳが存在するかどうかを示す構文要素、
前記ビットストリームにおいて少なくとも１つのＰＰＳが変えられるが同じＰＰＳ識別子が使用されるかどうかを示す構文要素、
前記ビットストリーム内のすべてのＣＶＳにフレームピクチャでコーディングされたプログレッシブフレームのみが入っているかどうかを示す構文要素、
前記ビットストリーム内のすべてのＣＶＳにフレームパッキングアレンジメントＳＥＩメッセージが入っていないかどうかを示す構文要素、
前記ビットストリーム内のすべてのＣＶＳが同じタイルコンフィギュレーションを有するかどうかを示す構文要素、
前記ビットストリーム内のすべてのＣＶＳがウェーブフロント並列処理を利用するかどうかを示す構文要素、
前記ビットストリーム内のすべてのＣＶＳが従属的スライスを利用するかどうかを示す構文要素、及び
前記ＳＥＩメッセージにおいて任意の追加のデータが後続するかどうかを示す構文要素、のうちの１つ以上を備える請求項４３に記載の映像処理デバイス。
【請求項５０】
映像復号デバイスであって、
映像データの符号化された表現を備えるビットストリームのシグナリングされたプロパティに基づいて、映像復号器が前記ビットストリームを復号することができるかどうかを決定するための手段と、
前記決定に基づいて、前記ビットストリームを処理するための手段と、を備え、
特定の値を有する前記シグナリングされたプロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、映像コーディング仕様によって規定されるビットストリーム構文全体のサブセットである、映像復号デバイス。
【請求項５１】
非一時的なコンピュータによって読み取り可能なデータ記憶媒体であって、実行されたときに、
映像データの符号化された表現を備えるビットストリームのシグナリングされたプロパティに基づいて、映像復号器が前記ビットストリームを復号することができるかどうかを決定し、及び
前記決定に基づいて、前記ビットストリームを処理することを映像復号器に行わせるように構成する命令が格納されており、
特定の値を有する前記シグナリングされたプロパティは、プロフィールインジケータ構文要素の値が、前記ビットストリームが復号されるときにアクティベートされるすべてのシーケンスパラメータセット（ＳＰＳ）に関してそれぞれ同一であることを示し、
前記ＳＰＳの各々は、コーディングされた映像シーケンス（ＣＶＳ）のすべてのスライスに適用される情報を含み、
前記プロフィールインジケータ構文要素は、前記ＳＰＳが適用されるＣＶＳがプロフィールに準拠することを示し、前記プロフィールは、映像コーディング仕様によって規定されるビットストリーム構文全体のサブセットである、非一時的なコンピュータによって読み取り可能なデータ記憶媒体。